(57)【要約】【課題】高い電気的性能及び信頼性が要求される放送機器のケーブル配線に適したアダプタにおいて、アダプタのコンタクトとコネクタプラグのコンタクトとの接触部において、コネクタプラグが回転するのを有効に阻止する。【解決手段】アダプタ本体８１の一端のトップサーフェスＳ１が、複数の凸部８３または複数の凹部８５を放射状に配列してなる凹凸面を有し、Ｌ型またはライトアングルのコネクタプラグ９０には、プラグ本体９１のケーブル寄りの位置に、嵌合部とほぼ同じ方向を向いた凸部９３が設けられている。そして、Ｌ型またはライトアングルのコネクタプラグ９０を第１の嵌合部Ｒ１に嵌合したとき、トップサーフェスＳ１上の複数の凹部８５の内の１つが、コネクタプラグ９０のプラグ本体９１に設けられた凸部９３とかみ合うよう構成されている。【選択図】図８
2018195396.tif 000002
【特許請求の範囲】
【請求項１】
２つのコネクタを互いに接続するためのアダプタであって、
一端に第１の嵌合部を有し、他端に第２の嵌合部を有するアダプタ本体と、
前記アダプタ本体の内部で、前記第１の嵌合部と前記第２の嵌合部との間に延びる中心コンタクトと、
少なくとも前記第１の嵌合部に設けられ、前記中心コンタクトに対して同軸的に配置される、筒状外部コンタクトとを含み、
前記アダプタ本体の前記一端のトップサーフェスは、複数の凸部または複数の凹部を放射状に配列してなる凹凸面を有し、
ケーブルの長手方向に対して所定角度傾けた嵌合部を有する、ライトアングルのコネクタプラグを、前記第１の嵌合部に嵌合したとき、前記複数の凸部または凹部の内の１つが、前記コネクタプラグの本体に設けられた凹部または凸部とかみ合うよう構成されている、
アダプタ。
【請求項２】
前記第１の嵌合部の前記筒状外部コンタクトは、前記筒状外部コンタクトの外周面の下端を規定するボトムサーフェスが、前記アダプタ本体の内部で、かつ、前記コネクタ本体の前記一端のトップサーフェスから前記アダプタ本体の軸方向内側に引っ込んだ位置にくるように形成され、
前記第１の嵌合部の前記筒状外部コンタクトは、前記コネクタプラグが前記第１の嵌合部に嵌合されるとき、前記第１の嵌合部の前記筒状外部コンタクトの前記外周面が、前記コネクタプラグが有する外部コンタクトの内周面とかみ合うよう構成されている、
請求項１に記載のアダプタ。
【請求項３】
前記アダプタ本体の前記第２の嵌合部は、前記コネクタプラグと種類の異なるコネクタプラグが嵌合されるよう構成されている、請求項１に記載のアダプタ。
【請求項４】
前記第１の嵌合部の筒状外部コンタクトの先端が、前記一端の前記トップサーフェスと同一面内に、または前記トップサーフェスよりも前記アダプタ本体の内側もしくは外側に位置するよう構成されている、請求項２に記載のアダプタ。
【請求項５】
前記コネクタプラグが前記第１の嵌合部に嵌合されるとき、前記第１の嵌合部の前記筒状外部コンタクトの前記外周面が、前記コネクタプラグが有する外部コンタクトの内周面とかみ合うよう構成されており、かつ、
前記第１の嵌合部の前記筒状外部コンタクトは、前記筒状外部コンタクトの前記外周面と前記外部コンタクトの前記内周面とのかみ合い部分の一部または全部が、前記アダプタ本体の内部で、かつ、前記コネクタ本体の前記一端のトップサーフェスから前記アダプタ本体の軸方向内側に引っ込んだ位置にくるように形成されている、請求項１に記載のアダプタ。
【発明の詳細な説明】
【技術分野】
【０００１】
本発明はアダプタに関し、特に、２つのコネクタを互いに接続するためのアダプタに関するものである。
【背景技術】
【０００２】
アダプタは、放送機器もしくは伝送機器（以下、単に「放送機器」ということがある。）において、機器盤の内外のケーブル配線を互いに接続する等のために広く使用されている（例えば、特許文献１（特開平９−１９９２４０号公報）、特許文献２（特開２００５−５０７５２号公報））。
【０００３】
特許文献１が開示するアダプタは、両端部がそれぞれ、対向する同軸コネクタの外部導体と角変位可能に摺動接触する、パイプ状の外部導体接続端子と、両端部がそれぞれ、対向する同軸コネクタの中心導体と角変位可能に摺動接触する、径の小さいパイプ状の中心導体接続端子と、を有し、外部導体接続端子と中心導体接続端子とが同軸上に配置されている。
【０００４】
特許文献２が開示するアダプタは、同軸ケーブルを接続する接続部をアダプタ本体から突出させた中継アダプタであって、中心導体接続用の中心コンタクトは、同軸ケーブルに接続される接続側コンタクトと、接続側コンタクトの内部側端部に接続される中央部コンタクトとからなり、中央部コンタクトの両端部が圧入接続構造にされている。
【先行技術文献】
【特許文献】
【０００５】
【特許文献１】特開平９−１９９２４０号公報
【特許文献２】特開２００５−５０７５２号公報
【発明の概要】
【発明が解決しようとする課題】
【０００６】
現在、４Ｋ放送／８Ｋ放送に対応する種々の放送機器の開発が進められている。これら放送機器間を接続するインタフェース規格として、伝送速度３Ｇｂ／ｓの３Ｇ−ＳＤＩ（Serial Digital Interface）や、伝送速度１２Ｇｂ／ｓの１２Ｇ−ＳＤＩが標準化されている。これらインタフェース規格において、機器の配線システムに高い電気的性能や信頼性が要求されるようになり、これらの要求を満たすアダプタの開発が望まれている。
【０００７】
特許文献１が開示するアダプタは、同軸コネクタの外部導体及び中心導体が、球面状の滑り面となっており、これら滑り面が、パイプ状の外部導体接続端子及び中心導体接続端子に嵌合されるよう構成されている。したがって、アダプタと同軸コネクタの接続が、パイプ状の導体内面と球面状の滑り面との角変位可能な摺動接触という、ごく限られた接触によるため、高い電気的性能及び信頼性が要求される放送機器のケーブル配線には必ずしも適さないという問題がある。
【０００８】
特許文献１が開示するアダプタは、角変位可能に摺動接触する、細長いパイプ状の外部導体接続端子及び中心導体接続端子を使用する。また、特許文献２が開示するアダプタは、接続部をアダプタ本体から突出させる構成を有する。このため、アダプタ本体にコネクタを接続したときの組立長さが長くなってしまうという問題がある。
【０００９】
他方、アダプタとコネクタとの固定機構が、バヨネット式ロック機構や、ねじ締め機構による場合は別として、コネクタは通常、アダプタの嵌合軸に対して回転自在である。したがって、特に、ケーブルの長手方向に対して所定角度傾けた嵌合部を有する、ライトアングルのコネクタプラグを、アダプタの嵌合部に嵌合した状態において、アダプタのコンタクトとコネクタプラグのコンタクトと接触部において、回転による摩耗が生じ、電気的性能や信頼性が低下するという問題がある。
【００１０】
したがって、本発明の一つの目的は、高い電気的性能及び信頼性が要求される放送機器のケーブル配線に適したアダプタにおいて、アダプタ本体にコネクタプラグを接続したときの組立長さを短くすることのできる技術を提供することにある。
【００１１】
本発明の一つの目的は、高い電気的性能及び信頼性が要求される放送機器のケーブル配線に適したアダプタにおいて、アダプタのコンタクトとコネクタプラグのコンタクトとの接触部において、コネクタプラグが回転するのを有効に阻止することのできる技術を提供することにある。
【課題を解決するための手段】
【００１２】
上記した課題を解決するために、本発明に係るアダプタは、２つのコネクタを互いに接続するためのアダプタであって、一端に第１のコネクタ用の第１の嵌合部を有し、他端に第２のコネクタ用の第２の嵌合部を有するアダプタ本体と、前記アダプタ本体の内部で、前記第１の嵌合部と前記第２の嵌合部との間に延びる中心コンタクトと、少なくとも前記第１の嵌合部に設けられ、前記中心コンタクトに対して同軸的に配置される、筒状外部コンタクトとを含んでいる。前記第１の嵌合部の前記筒状外部コンタクトは、前記筒状外部コンタクトの外周面の下端を規定するボトムサーフェスが、前記アダプタ本体の内部で、かつ、前記コネクタ本体の前記一端のトップサーフェスから前記アダプタ本体の軸方向内側に引っ込んだ位置にくるように形成され、前記第１のコネクタが前記第１の嵌合部に嵌合されるとき、前記第１の嵌合部の前記筒状外部コンタクトの前記外周面が、前記第１のコネクタが有する外部コンタクトの内周面とかみ合うよう構成されている。
【００１３】
本発明に係るアダプタの好ましい実施の形態において、前記アダプタ本体の前記第１の嵌合部及び前記第２の嵌合部は、それぞれ種類の異なる前記第１のコネクタ及び前記第２のコネクタが嵌合されるよう構成されていると良い。
【００１４】
また、本発明に係るアダプタの好ましい実施の形態において、前記アダプタ本体の第１の嵌合部は、ケーブルの長手方向に対して所定角度傾けた嵌合部を有する、ライトアングルのコネクタプラグに適合するよう構成されていると良い。なお、当業界において明らかなとおり、ライトアングルのコネクタプラグは、Ｌ型に形成されたコネクタ本体を有する「Ｌ型」コネクタプラグを当然に含む。
【００１５】
さらに、本発明に係るアダプタの好ましい実施の形態において、前記アダプタ本体の前記一端の前記トップサーフェスは、複数の凸部または複数の凹部を放射状に配列してなる凹凸面を有し、前記ライトアングルのコネクタプラグを、前記第１の嵌合部に嵌合したとき、前記複数の凸部または凹部の内の１つが、前記コネクタプラグの本体に設けられた凹部または凸部とかみ合うよう構成されていると良い。
【００１６】
また、本発明に係るアダプタの好ましい実施の形態において、前記第１の嵌合部の筒状外部コンタクトの先端が、前記一端の前記トップサーフェスと同一面内に、または前記トップサーフェスよりも前記アダプタ本体の内側もしくは外側に位置するよう構成されていると良い。
【００１７】
さらに、本発明に係るアダプタは、２つコネクタを互いに接続するためのアダプタであって、一端に第１のコネクタ用の第１の嵌合部を有し、他端に第２のコネクタ用の第２の嵌合部を有するアダプタ本体と、前記アダプタ本体の内部で、前記第１の嵌合部と前記第２の嵌合部との間に延びる中心コンタクトと、少なくとも前記第１の嵌合部に設けられ、前記中心コンタクトに対して同軸的に配置される、筒状外部コンタクトとを含んでいる。前記第１の嵌合部の前記筒状外部コンタクトは、前記第１のコネクタが前記第１の嵌合部に嵌合されるとき、前記第１の嵌合部の前記筒状外部コンタクトの前記外周面が、前記第１のコネクタが有する外部コンタクトの内周面とかみ合うよう構成されており、かつ、前記第１の嵌合部の前記筒状外部コンタクトは、前記筒状外部コンタクトの前記外周面と前記外部コンタクトの前記内周面とのかみ合い部分の一部または全部が、前記アダプタ本体の内部で、かつ、前記コネクタ本体の前記一端のトップサーフェスから前記アダプタ本体の軸方向内側に引っ込んだ位置にくるように形成されている。
【００１８】
加えて、本発明に係るアダプタは、２つコネクタを互いに接続するためのアダプタであって、一端に第１の嵌合部を有し、他端に第２の嵌合部を有するアダプタ本体と、前記アダプタ本体の内部で、前記第１の嵌合部と前記第２の嵌合部との間に延びる中心コンタクトと、少なくとも前記第１の嵌合部に設けられ、前記中心コンタクトに対して同軸的に配置される、筒状外部コンタクトとを含んでいる。前記アダプタ本体の前記一端のトップサーフェスは、複数の凸部または複数の凹部を放射状に配列してなる凹凸面を有し、ケーブルの長手方向に対して所定角度傾けた嵌合部を有する、ライトアングルのコネクタプラグを、前記第１の嵌合部に嵌合したとき、前記複数の凸部または凹部の内の１つが、前記コネクタプラグの本体に設けられた凹部または凸部とかみ合うよう構成されている。
【発明の効果】
【００１９】
本発明に係るアダプタにおいて、第１の嵌合部の筒状外部コンタクトは、筒状外部コンタクトの外周面の下端を規定するボトムサーフェスが、アダプタ本体の内部で、かつ、コネクタ本体の一端のトップサーフェスからアダプタ本体の軸方向内側に引っ込んだ位置にくるように形成され、また、第１のコネクタが第１の嵌合部に嵌合されるとき、第１の嵌合部の筒状外部コンタクトの外周面が、第１のコネクタが有する外部コンタクトの内周面とかみ合うよう構成されている。あるいは、本発明に係るアダプタにおいて、第１の嵌合部の前記筒状外部コンタクトは、第１のコネクタが第１の嵌合部に嵌合されるとき、第１の嵌合部の筒状外部コンタクトの外周面が、第１のコネクタが有する外部コンタクトの内周面とかみ合うよう構成されており、かつ、第１の嵌合部の筒状外部コンタクトは、筒状外部コンタクトの外周面と外部コンタクトの内周面とのかみ合い部分の一部または全部が、アダプタ本体の内部で、かつ、コネクタ本体の一端のトップサーフェスからアダプタ本体の軸方向内側に引っ込んだ位置にくるように形成されている。したがって、本発明に係るアダプタにおいて、高い電気的性能や信頼性を確保しながら、組立長さの短いアダプタを実現することができる。
【００２０】
また、本発明に係るアダプタにおいて、アダプタ本体の一端のトップサーフェスが、複数の凸部または複数の凹部を放射状に配列してなる凹凸面を有し、ライトアングルのコネクタプラグを、第１の嵌合部に嵌合したとき、複数の凸部または凹部の内の１つが、コネクタプラグの本体に設けられた凹部または凸部とかみ合うよう構成されている。したがって、トップサーフェスの適宜位置においてコネクタプラグを固定することができ、アダプタのコンタクトとコネクタプラグのコンタクトとの接触部における、コネクタプラグの回転を有効に阻止できるアダプタを実現することができる。
【００２１】
上記した本発明の目的および利点並びに他の目的および利点は、以下の実施の形態の説明を通じてより明確に理解される。もっとも、以下に記述する実施の形態は例示であって、本発明はこれに限定されるものではない。
【図面の簡単な説明】
【００２２】
【図１】アダプタの一例の断面図である。
【図２】コネクタプラグの一例の断面図である。
【図３】嵌合前の状態にあるアダプタとコネクタプラグの斜視図である。
【図４】嵌合後の状態にあるアダプタとコネクタプラグの断面図である。
【図５】嵌合後の状態にあるアダプタとコネクタプラグの斜視図である。
【図６】嵌合前の状態にある比較例のアダプタとコネクタプラグの斜視図である。
【図７】嵌合後の状態にある比較例のアダプタとコネクタプラグの斜視図である。
【図８】嵌合前の状態にあるアダプタの他の例とコネクタプラグの他の例の斜視図である。
【発明を実施するための形態】
【００２３】
以下、本発明に係るアダプタの好ましい実施の形態を、図面に基づいて詳細に説明する。
【００２４】
図１は、本発明を適用したアダプタの一例の断面図、図２は、アダプタに嵌合されるコネクタプラグの一例の断面図、図３は、嵌合前の状態にあるアダプタとコネクタプラグの斜視図、図４は、嵌合後の状態にあるアダプタとコネクタプラグの断面図である。
【００２５】
以下に説明する本実施の形態に係るアダプタは、一端に１２Ｇ−ＳＤＩ規格に適合するライトアングルのコネクタプラグが嵌合され、他端にＢＮＣ型のコネクタプラグが嵌合される変換アダプタに、本発明を適用した例である。なお、これは、嵌合される２つのコネクタの組み合わせの一例であって、本発明はこれに限定されるものではない。
【００２６】
図１を参照して、アダプタ１０は、一端に１２Ｇ−ＳＤＩ規格に適合するライトアングルのコネクタプラグ用のプラグ嵌合部Ｒ１（第１の嵌合部に相当する。）を有し、他端にＢＣＮ型のコネクタプラグ用のプラグ嵌合部Ｒ２（第２の嵌合部に相当する。）を有するアダプタ本体１１と、アダプタ本体１１の内部で、プラグ嵌合部Ｒ１とプラグ嵌合部Ｒ２との間に延びる中心コンタクト１３と、少なくともプラグ嵌合部Ｒ１に設けられ、中心コンタクト１３に対して同軸的に配置される、筒状外部コンタクト１７とを含んでいる。
【００２７】
アダプタ本体１１は、プラグ嵌合部Ｒ１寄りの外周にねじ部１９とフランジ２１を有し、プラグ嵌合部Ｒ２寄りの外周に、バヨネット式ロック機構のための突起２２を有する。アダプタ本体１１は、放送機器のパネル１００に設けられた穴を貫通した状態で、かつ、フランジ２１と、ワッシャ２３及びナット２５を含むねじ締め機構との間に、パネル１００を挟むようにして固定される。
【００２８】
中心コンタクト１３は、絶縁体１５により、アダプタ本体１１及び筒状外部コンタクト１７に対して電気絶縁的に支持されている。中心コンタクト１３は、プラグ嵌合部Ｒ１側にオスコンタクト部３１、プラグ嵌合部Ｒ２側にメスコンタクト部３２をそれぞれ有する。
【００２９】
プラグ嵌合部Ｒ１の筒状外部コンタクト１７は、筒状外部コンタクト１７の外周面ＯＰ１の下端Ｅ２を規定するボトムサーフェスＳ２が、アダプタ本体１１の内部で、かつ、コネクタ本体１１の一端のトップサーフェスＳ１からアダプタ本体１１の軸方向内側に引っ込んだ位置にくるように形成されている。また、筒状外部コンタクト１７は、図２に示すコネクタプラグ４０がプラグ嵌合部Ｒ１に嵌合されるとき、プラグ嵌合部Ｒ１の筒状外部コンタクト１７の外周面ＯＰ１が、図２に示すコネクタプラグ４０が有する外部コンタクト４７の内周面ＩＰ４とかみ合うよう構成されている。なお、図１に示す例では、筒状外部コンタクト１７の先端Ｅ１が、アダプタ本体１１の一端のトップサーフェスＳ１と同一面内に位置するよう構成されているが、トップサーフェスＳ１よりもアダプタ本体１１の内側に位置するよう構成されていて良い。
【００３０】
図２を参照して、図示のコネクタプラグ４０は、アダプタ本体１１の一端のプラグ嵌合部Ｒ１に嵌合される、ライトアングルのコネクタプラグであり、Ｌ型に形成されたプラグ本体４１と、中心コンタクト４３と、中心コンタクト４３をプラグ本体４１に対して電気絶縁的に支持する絶縁体４５と、プラグ本体４１の先端側の外部コンタクト４７とを有する。
【００３１】
コネクタプラグ４０の中心コンタクト４３は、Ｌ型に形成されており、一端はケーブル５０の中心導体５３に電気的に接続されている。中心コンタクト４３の他端は、メスコンタクト部を有している。
【００３２】
コネクタプラグ４０の外部コンタクト４７は、４つの分割部分の外周面ＯＰ４を板ばね４８が巻き締める構造を有する。
【００３３】
コネクタプラグ４０のプラグ本体４１の後端側は、締め付けナット４９を有している。この締め付けナット４９を用いて、中心コンタクト４３の一端とケーブル５０の中心導体５３との電気的接続と、プラグ本体４１とケーブルの外部導体５１との電気的接続を保った状態で、ケーブル５０の端部を、プラグ本体４１の後端に締め付け固定することができる。なお、コネクタプラグ４０の後端側のこのような締め付け固定構造は、アダプタ本体１１のプラグ嵌合部Ｒ１との嵌合に関係せず、したがって本発明のアダプタの構成を何ら限定するものではない。
【００３４】
図１、図２及び図４を参照して、コネクタプラグ４０が、アダプタ本体１１のプラグ嵌合部Ｒ１に嵌合されるとき、プラグ嵌合部Ｒ１の中心コンタクト１３のオスコンタクト部３１が、コネクタプラグ４０の中心コンタクト４３のメスコンタクト４３２と嵌合する。
【００３５】
また、コネクタプラグ４０が、アダプタ本体１１のプラグ嵌合部Ｒ１に嵌合されるとき、プラグ嵌合部Ｒ１の筒状外部コンタクト１７の外周面ＯＰ１が、コネクタプラグ４０の外部コンタクト４７の内周面ＩＰ４とかみ合う。より具体的には、コネクタプラグ４０の外部コンタクト４７の内周面ＩＰ４上の凸部が、プラグ嵌合部Ｒ１の筒状外部コンタクト１７の外周面ＯＰ１上の凹部に食い込んだ状態で、コネクタプラグ４０の外部コンタクト４７の内周面ＯＰ４と、プラグ嵌合部Ｒ１の筒状外部コンタクト１７の外周面ＯＰ１とが互いに接触する、かみ合い状態となる。なお、コネクタプラグ４０の外部コンタクト４７の周囲に設けられた板ばね４８の弾性力は、このかみ合い状態を保持するのに役立つ。
【００３６】
このように、コネクタプラグ４０が、アダプタ本体１１のプラグ嵌合部Ｒ１に嵌合されるとき、プラグ嵌合部Ｒ１の筒状外部コンタクト１７の外周面ＯＰ１が、コネクタプラグ４０の外部コンタクト４７の内周面ＩＰ４とかみ合い、互いに接触するので、プラグ嵌合部Ｒ１の中心コンタクト１３のオスコンタクト部３１が、コネクタプラグ４０の中心コンタクト４３のメスコンタクト４３２と嵌合するのと相まって、高い電気的特性と信頼性を確保することができる。
【００３７】
加えて、プラグ嵌合部Ｒ１の筒状外部コンタクト１７の外周面ＯＰ１とコネクタプラグ４０の外部コンタクト４７の内周面ＩＰ４とのかみ合い部分の全部が、アダプタ本体１１の内部（トップサーフェスＳ１とボトムサーフェスＳ２との間）に引っ込んだ位置にくるので、その引っ込んだかみ合い部分の長さだけアダプタ１０とコネクタプラグ４０との組立長さを短くすることができる。
【００３８】
図４及び図５を参照して、本実施形態のアダプタ１０において、アダプタ本体１１のプラグ嵌合部Ｒ１にコネクタプラグ４０が嵌合された状態での、パネル１００からコネクタプラグ４０の背までの距離を、Ｌ１とする。図６及び図７を参照して、比較例のアダプタ６０（当該アダプタ６０は、図６に示すようにアダプタ本体６１の一端のプラグ嵌合部Ｒ６が、トップサーフェスＳ６上から軸方向外側に延びる外部コンタクト６７を有するよう構成されている。）において、アダプタ本体６１のプラグ嵌合部Ｒ６にコネクタプラグ４０が嵌合された状態での同様の距離を、Ｌ２とする。両者を比較すると、Ｌ１は、アダプタ本体１１の内部に引っ込んだかみ合い部分の長さだけ、Ｌ２よりも有意に短いことがわかる。
【００３９】
なお、プラグ嵌合部Ｒ１の筒状外部コンタクト１７の外周面ＯＰ１とコネクタプラグ４０の外部コンタクト４７の内周面ＩＰ４とのかみ合い部分の一部が、アダプタ本体の１１の内部に引っ込んだ位置にくる場合にも、その引っ込んだ部分の長さだけ組立長さを短くする効果が得られることは、勿論である。
【００４０】
さて、図４及び図５からわかるように、ライトアングルのコネクタプラグ４０は、アダプタ１０の嵌合軸に対して回転自在である。したがって、コネクタプラグがアダプタの嵌合部に嵌合した状態において、アダプタ１０の外部コンタクトの外周面ＯＰ１とコネクタプラグ４０の外部コンタクトの内周面ＩＰ４と接触部分において、回転による摩耗が生じ、電気的性能や信頼性に影響を及ぼすことが考えられる。この課題を解決するアダプタの他の例とコネクタプラグの他の例を、以下説明する。
【００４１】
図８は、嵌合前の状態にあるアダプタの他の例とコネクタプラグの他の例の斜視図である。図３に示す、嵌合前の状態にあるアダプタ１０とコネクタプラグ４０との相違点を述べると、図８に示すアダプタ８０は、特に、アダプタ本体８１の一端のトップサーフェスＳ１が、複数の凸部８３または複数の凹部８５を放射状に配列してなる凹凸面を有し、ライトアングルのコネクタプラグ９０には、プラグ本体９１のケーブル寄りの位置に、嵌合部とほぼ同じ方向を向いた凸部９３が設けられている。そして、ライトアングルのコネクタプラグ９０を第１の嵌合部Ｒ１に嵌合したとき、トップサーフェスＳ１上の複数の凹部８５の内の１つが、コネクタプラグ９０のプラグ本体９１に設けられた凸部９３とかみ合うよう構成されている。したがって、トップサーフェスＳ１の適宜位置においてコネクタプラグ９０を固定することができ、アダプタ８０の外部コンタクトの外周面ＯＰ１とコネクタプラグ４０の外部コンタクトの内周面ＩＰ４と接触部分における、コネクタプラグの回転を有効に阻止できるという効果が得られる。
【００４２】
なお、ライトアングルのコネクタプラグ９０は、プラグ本体９１に凸部９３が設けられている例であるが、凸部に代えて凹部が設けられて良く、コネクタプラグ９０を第１の嵌合部Ｒ１に嵌合したとき、トップサーフェスＳ１上の複数の凸部の内の１つが、コネクタプラグのプラグ本体９１に設けられた凹部とかみ合うよう構成されて良い。
【００４３】
本発明のアダプタは、伝送線路を使用して信号や電力を伝送する様々な装置（放送機器、映像・音響機器、信号送信端末、信号受信端末、中継装置等）の入力端あるいは出力端において、コネクタプラグを低背に接続する必要がある場合等に、特に有効である。
【産業上の利用可能性】
【００４４】
本発明は、２つのコネクタを互いに接続するためのアダプタに広く適用することができる。
【符号の説明】
【００４５】
１０、８０    アダプタ
１１、８１    アダプタ本体
１３    中心コンタクト
１５    絶縁体
１７    筒状外部コンタクト
Ｒ１、Ｒ２    プラグ嵌合部
Ｓ１    トップサーフェス
Ｓ２    ボトムサーフェス
ＯＰ１    外周面
４０、９０    コネクタプラグ
【図１】
2018195396.tif 000003
【図２】
2018195396.tif 000004
【図３】
2018195396.tif 000005
【図４】
2018195396.tif 000006
【図５】
2018195396.tif 000007
【図６】
2018195396.tif 000008
【図７】
2018195396.tif 000009
【図８】
2018195396.tif 000010